Podtech/llm-jp-corpus-v4-ja_patent huggingface dataset:
(57)【要約】【課題】１つの吸着装置で２種類の荷役物に対応する吸着装置を提供する。【解決手段】吸着パッドを用いて荷役物を吸着する吸着装置において、パッド１６の中にパッド１５を配置し、リンク機構１７を用いてパッド１５を可動させ、対象の荷役物を切り替えて吸着させる。【選択図】図２
0003120160.tif 000002
【実用新案登録請求の範囲】
【請求項１】
吸着パッドを用いて荷役物を吸着する吸着装置において、パッド１６の中にパッド１５を配置し、リンク機構１７を用いてパッド１５を可動させ、対象の荷役物を切り替えることを特徴とする吸着装置。
【請求項２】
パッド１５のシャフト１４に切込み部を有し、真空の流路を切り替える機構を有することを特徴とする請求項１記載の吸着装置。
【考案の詳細な説明】
【技術分野】
【０００１】
本考案は、カートンや袋を吸着して、荷役物運搬機で移載する吸着装置に関するものである。
【背景技術】
【０００２】
従来は、荷役物がカートンと袋の２種類ある場合、カートン用のアタッチメントと袋用のアタッチメントを用意して、荷役物の種類が変る度に、アタッチメントを交換していた。しかし、交換作業には、時間が掛かり、生産性が上がらないという欠点があった。
【特許文献１】特開平０５-１１６０８２号公報
【考案の開示】
【考案が解決しようとする課題】
【０００３】
解決しようとする問題点は、１つの吸着装置で２種類の荷役物を吸着できない点である。
【課題を解決するための手段】
【０００４】
本考案は、袋用のパッドの中にカートン用のパッドを配置し、リンク機構を用いてカートン用のパッドを可動させることを最も主要な特徴とする。
【考案の効果】
【０００５】
本考案の吸着装置は、２種類の荷役物を簡単な切替え動作で、夫々吸着できる利点がある。
【考案を実施するための最良の形態】
【０００６】
図１は、荷役物運搬機の総体図である。台座１に旋回台２を介して荷役物運搬機３が取付けられている。荷役物運搬機３はアーム４を備えており、アーム４の先端には、吸着装置５を備えている。作業者６が操作ハンドル７を握り、任意の場所に荷役物８を移載させる事ができる。
【０００７】
図２は、吸着装置の部分断面図である。斜線が断面である。フレーム９にステー１０が支承されている。ステー１０にステー１１が支承されている。ブロック１２にステー１１が支承されている。ステー１１にレバー１３が固着されている。ブロック１２にシャフト１４が固着されている。フレーム９はシャフト１４に軸通されている。シャフト１４にパッド１５が固着している。フレーム９にパッド１６が固着されている。フレーム９とステー１０とステー１１とブロック１２でリンク機構１７を構成している。
【０００８】
図３は、吸着装置の側面図である。図２の右側面図である。符号と構成は、図２と同様である。
【０００９】
図４は、吸着装置の部分断面図である。斜線が断面である。符号と構成は、図２と同様である。パッド１５にカートン１８が吸着されている。
【００１０】
図５は、吸着装置の側面図である。図４の右側面図である。符号と構成は、図２と同様である。パッド１５にカートン１８が吸着されている。
【００１１】
図６は、吸着装置の部分断面図である。斜線が断面である。符号と構成は、図２と同様である。パッド１６に袋１９が吸着されている。
【００１２】
図７は、吸着装置の側面図である。図６の右側面図である。符号と構成は、図２と同様である。パッド１６に袋１９が吸着されている。
【００１３】
図８は、カートン用パッドの真空の流路の図である。符号と構成は、図２と同様である。斜線部分が真空になる部分である。円柱形状のシャフト１４に切込み部２０と通気孔２１を有している。よって、通気孔２１が流路となり、カートン１８の上面を吸着する事ができる。
【００１４】
図９は、袋用パッドの真空の流路の図である。符号と構成は、図２と同様である。斜線部分が真空になる部分である。シャフト１４に切込み部２０と通気孔２１を有している。よって、通気孔２１と切込み部２０が流路となり、袋１９の上面を吸着する事ができる。袋用の流路をカートン用と兼用にしない理由は、カートン用のパッド１５の吸着口が狭いため、袋用としては十分に吸着が出来ないからである。
【００１５】
袋用からカートン用に切り替えるには、リンク機構１７の作用により、図７のレバー１３の位置から図３の状態を経て、図５のレバー１３の位置にする。
【図面の簡単な説明】
【００１６】
【図１】荷役物運搬機の総体図である。
【図２】吸着装置の部分断面図である。
【図３】吸着装置の側面図である。
【図４】吸着装置の部分断面図である。
【図５】吸着装置の側面図である。
【図６】吸着装置の部分断面図である。
【図７】吸着装置の側面図である。
【図８】カートン用パッドの真空の流路の図である。
【図９】袋用パッドの真空の流路の図である。
【符号の説明】
【００１７】
１    台座
２    旋回台
３    荷役物運搬機
４    アーム
５    吸着装置
６    作業者
７    操作ハンドル
９    フレーム
１０  ステー
１１  ステー
１２  ブロック
１３  レバー
１４  シャフト
１５  パッド
１６  パッド
１７  リンク機構
１８  カートン
１９  袋
２０  切込み部
２１  通気孔
【図１】
0003120160.tif 000003
【図２】
0003120160.tif 000004
【図３】
0003120160.tif 000005
【図４】
0003120160.tif 000006
【図５】
0003120160.tif 000007
【図６】
0003120160.tif 000008
【図７】
0003120160.tif 000009
【図８】
0003120160.tif 000010
【図９】
0003120160.tif 000011
(57)【要約】【課題】きつねうどん、あるいはきつね蕎麦などのカップ麺で、より大きな油揚げを入れることができるカップ麺を提供する。【解決手段】使い捨ての発泡スチロール製の容器３の中に、熱湯を注ぐことで食べられるよう真空冷凍乾燥した麺５と、この麺５の上に載せられ熱湯を注ぐことで食べられるよう真空冷凍乾燥した油揚げ７と、を有する。この容器３は平面形状が円形であり、油揚げ７は平面形状が円形で、大きさが容器３の円形と略同一である。もっとも、油揚げ７の円形の周囲から、熱湯が麺５に浸入しやすいように、油揚げ７はやや小さくして、容器３の縁との間に隙間を開ける。【選択図】図1
0003120153.tif 000002
【実用新案登録請求の範囲】
【請求項１】
使い捨ての容器と、この容器の中に入っていて熱湯を注ぐことで食べられる麺と、この麺の上に載せられ熱湯を注ぐことで食べられる油揚げと、を有するカップ麺において、前記容器は平面形状が円形であり、前記油揚げは平面形状が円形で、大きさが前記容器の円形と略同一であることを特徴とするカップ麺。
【考案の詳細な説明】
【技術分野】
【０００１】
この考案は、カップ麺の具材として用いられる油揚げの形状に関する。
【背景技術】
【０００２】
図２に示すように、いわゆるカップ麺１１は、使い捨ての容器１３の中に、乾燥した麺１５や具材１７などが入っており、熱湯を注ぐことで、通常３分程度で食べられる。そして、カップ麺１１のうち、たとえばきつねうどん、あるいはきつね蕎麦のカップ麺は、麺がうどんや蕎麦で、具材１７に油揚げ１９が用いられる。容器１３の平面形状は、どんぶりの形状を模して、円形である。油揚げ１９の平面形状は、四角である。
【０００３】
きつねうどん、あるいはきつね蕎麦などは、大きな油揚げ１９が入っていることが、カップ麺１１の購買意欲を喚起する一つの要素である。
【考案の開示】
【考案が解決しようとする課題】
【０００４】
しかしながら、容器の円形に対し、四角の油揚げは、ある一定の大きさにしかならず、現状はそれ以上は大きくできなかった。また、油揚げを折りたたんで入れておくと、熱湯を吸収して大きくなったときに、容器に収まりにくい。
この考案は、以上の問題点を解決するために、より大きな油揚げを入れることができるカップ麺を提供することを目的とする。
【課題を解決するための手段】
【０００５】
以上の課題を解決するために、この考案は、使い捨ての容器と、この容器の中に入っていて熱湯を注ぐことで食べられる麺と、この麺の上に載せられ熱湯を注ぐことで食べられる油揚げと、を有するカップ麺において、前記容器は平面形状が円形であり、前記油揚げは平面形状が円形で、大きさが前記容器の円形と略同一であることを特徴とするカップ麺である。
【考案の効果】
【０００６】
この考案によれば、油揚げは平面形状が円形で、大きさが容器の円形と略同一であることにより、油揚げを折りたたまずに最大限まで大きくでき、カップ麺の購買意欲をより喚起することができる。
【考案を実施するための最良の形態】
【０００７】
この考案の実施形態を、図１に示す。
この考案に係るカップ麺１は、使い捨ての容器３の中に、熱湯を注ぐことで食べられる麺５と、この麺５の上に載せられ熱湯を注ぐことで食べられる油揚げ７などの具材１７と、図示しない粉末スープなどが入っている。その上から、丸いふた９がされ、ふた９の周囲は、容器３の縁に接着されている。容器３は平面形状が円形である。油揚げ７は、平面形状が円形で、大きさが容器３の円形と略同一である。
【０００８】
容器３、すなわちカップは、発泡スチロール製であり、うどんや蕎麦を食するときのどんぶりに形状が似る。もっとも、発泡スチロール製でなく、紙製でも良い。
麺５は、熱湯を注いで3分程度で食べられるよう、麺５は細く薄いものが用いられ、ゆでた麺を乾燥させる。乾燥の方法は、油で揚げる方法、油で揚げずに９０度程度の熱風で乾燥させる方法、真空冷凍乾燥する方法、茹でて凍らせ乾燥させる氷結乾燥法、などが採用できる。
【０００９】
油揚げ７は、薄揚げ、稲荷揚げとも呼ぶ。すなわち、木綿豆腐を薄く小さく切って圧して脱水をした生地を、低温で揚げ３倍程度に膨張させ、次に高温でもう1度揚げて水分を飛ばして表面を硬くすることで収縮を防いで、製品とする。油揚げ用の豆腐は、豆乳濃度を薄くして、通常の木綿豆腐と同様の工程で作る。作った油揚げ７は、カップ麺用の具材として真空冷凍乾燥される。
【００１０】
油揚げ７の平面形状は、円形で、大きさが容器３の円形と略同一であるが、円形の周囲から熱湯が麺５に浸入しやすいように、やや小さくして、隙間を開ける。隙間は１〜２ｍｍ程度である。
他のねぎなどの具材も真空冷凍乾燥されている。
【００１１】
「実施形態の効果」
この実施形態によれば、きつねうどん、あるいはきつね蕎麦などのカップ麺１で、油揚げ７を折りたたまずに最大限まで大きくでき、よってカップ麺１の購買意欲をより喚起することができる。
【図面の簡単な説明】
【００１２】
【図１】この考案の一実施形態を示すカップ麺の斜視図である。
【図２】従来のカップ麺の斜視図である。
【符号の説明】
【００１３】
１…カップ麺、３…容器、５…麺、７…油揚げ、９…ふた、１１…カップ麺、１３…容器、１５…麺、１７…具材、１９…油揚げ。
【図１】
0003120153.tif 000003
【図２】
0003120153.tif 000004
(57)【要約】【課題】装飾性が高く、ショーツ本来の機能も発揮でき、重ねた外部ショーツと内部ショーツとが位置ずれせず、股部が薄くて不快感が無いショーツを提供すること。【解決手段】内部ショーツ２と外部ショーツ１から成り、内部ショーツ２及び外部ショーツ１のクロッチ部３は共有され、内部ショーツ２は脇部を開放した形状に形成され、前記外部ショーツ１は脇部をも被覆した形状に形成され、内部ショーツ２の上部を外部ショーツ１のウェスト口から上方へ突出させる。【選択図】図２
0003120135.tif 000002
【実用新案登録請求の範囲】
【請求項１】
内部ショーツと外部ショーツから成り、内部及び外部ショーツのクロッチ部は共有され、前記内部ショーツは脇部を開放した形状に形成され、前記外部ショーツは脇部をも被覆した形状に形成され、前記内部ショーツの上部を前記外部ショーツのウェスト口から上方へ突出させたことを特徴とするショーツ。
【考案の詳細な説明】
【技術分野】
【０００１】
本考案は、股上が浅いローライズボトム用の下着として好適なショーツに関する。
【背景技術】
【０００２】
近年、股上が非常に浅くて身体のウェスト部を露出させる、いわゆるローライズのボトムが流行している。
このようなボトムを着用する場合には、丈が短いビキニショーツ等の下着を装着して、ボトムのウェスト口から下着が露出しないようにしていた。
ところが、最近では、丈が比較的長く、脇部を被覆しないＴバックショーツ、タンガ等の下着を着用して、意図的に下着の脇紐部をローライズボトムの上方へ露出させるスタイルが多くなっている。
【０００３】
このような脇部を被覆しないタイプの下着は、身頃やクロッチ布の幅が非常に狭いので、冷えや外衣の汚れを防ぐという下着本来の機能が劣る。
そこで、ローライズボトムから露出させるＴバックショーツ等の上に、外部に露出しない丈の短い通常のショーツを重ねて着用することも行われている。
しかし、２枚のショーツを重ねて着用すると、互いに位置ずれを起こしたり、股部が分厚くなって、食い込んだりごわごわするなどの不快感を感じやすい。
【考案の開示】
【考案が解決しようとする課題】
【０００４】
本考案が解決しようとする課題は、装飾性が高く、ショーツ本来の機能も発揮でき、重ねた外部ショーツと内部ショーツとが位置ずれせず、股部が薄くて不快感が無いショーツを提供することにある。
【課題を解決するための手段】
【０００５】
本考案のショーツは、内部ショーツと外部ショーツから成り、内部及び外部ショーツのクロッチ部は共有され、前記内部ショーツは脇部を開放した形状に形成され、前記外部ショーツは脇部をも被覆した形状に形成され、前記内部ショーツの上部を前記外部ショーツのウェスト口から上方へ突出させる。
【考案の効果】
【０００６】
本考案によれば、装飾性が高い内部ショーツの上部を、アウターであるローライズボトムから露出させておしゃれを楽しむことができると共に、脇部を覆う形状の外部ショーツによって防寒・汚れ防止等の下着本来の機能を果たすことが可能であり、しかも、外部ショーツは露出しないため体裁がよい。
また、内部ショーツと外部ショーツとが位置ずれせず、股部は外部シューツのみの厚みで済むので、ごわごわしたり食い込むなどの不快感を与える心配も無い。
【考案を実施するための最良の形態】
【０００７】
以下、本考案の実施例を図面に基づいて詳細に説明する。図１は、ショーツの斜視図、図２は、ショーツの裏面図である。
本考案のショーツは、伸縮性のある布を素材とし、脇部をも被覆する形状の外部ショーツ１と、脇部を開放した形状の内部ショーツ２とを備える。
外部ショーツ１は、一般的なセミビキニショーツタイプであって、ローライズボトムのウェスト口から露出しないように、丈を短くしてある。
また、外部ショーツ１のクロッチ部３の内面には、綿素材の裏布４を配設してある。
【０００８】
内部ショーツ２は、細幅の前身頃５とこれよりさらに細幅の後身頃６の上縁側端間をウェスト紐７で連結したＴバックショーツタイプであるが、クロッチ部を備えていない。また、内部ショーツ２の前身頃５及び後身頃６の丈は、外部ショーツ１の前身頃及び後身頃の丈よりも長く形成してある。
そして、内部ショーツ２を外部ショーツ１の内面に重ね、内部ショーツ２の前身頃５及び後身頃６の下端を、外部ショーツ１のクロッチ部３の前後端にそれぞれ縫着してある。即ち、内部ショーツ２は外部ショーツ１とクロッチ部３を共有し、内部ショーツ２の上部は、外部ショーツ１のウェスト口から上方へ突出している。
また、外部ショーツ１及び内部ショーツ２の上部が左右に位置ずれしないように、内部ショーツ２の前身頃５の上部両側縁を外部ショーツ１の上縁に止めつけてある。
【０００９】
このショーツを装着してローライズボトムを着用すると、丈が短い外部ショーツ１は隠れて外観に現れないが、内部ショーツ２の上部、特にウェスト紐７が外部に露出する。
なお、内部ショーツ２は、脇部が開放した形状であればＴバックショーツに限定されず、タンガ等であっても良い。
また、外部ショーツ１と内部ショーツ２とで、色や材質を互いに相違させることも可能である。
【図面の簡単な説明】
【００１０】
【図１】本考案の実施例を示すショーツの斜視図。
【図２】本考案の実施例を示すショーツの裏面図。
【符号の説明】
【００１１】
１  外部ショーツ
２  内部ショーツ
３  クロッチ部
４  裏布
５  前身頃
６  後身頃
７  ウェスト紐
【図１】
0003120135.tif 000003
【図２】
0003120135.tif 000004
(57)【要約】【課題】  １枚で２以上の形態に使うことができるクリアーホルダーを提供すること。【解決手段】  シート１，２に、当該シートの一部をシート本体から切り取り去るための切取り線３，４を、周囲よりも切れ易い切取り線として予め形成する。切取り線３，４は、クリアーホルダーの外形が第１の定型サイズに適合している場合、当該第１の定型サイズよりも小さい第２、第３の定型サイズに適合させる。【選択図】  図１
0003120133.tif 000002
【実用新案登録請求の範囲】
【請求項１】
シート間に格納領域を備えたクリアーホルダーであって、前記シートに、当該シートの一部をシート本体から切り取り去るための切取り線を、周囲よりも切れ易い切取り線として予め形成したクリアーホルダーにおいて、
前記切取り線は、前記クリアーホルダーの外形が第１の定型サイズに適合している場合、当該第１の定型サイズよりも小さい第２の定型サイズに適合させた切取り線としたことを特徴とするクリアーホルダー。
【考案の詳細な説明】
【技術分野】
【０００１】
本考案は、主に事務用に広く用いられるクリアーホルダーに関する。
【背景技術】
【０００２】
ポリプロピレン等の素材で形成されたシートを合わせ、シート間に格納領域を備えたクリアーホルダーが広く市販されている。クリアーホルダーのサイズは、定型用紙サイズに合わせてあり、Ａ４サイズ用、Ｂ５サイズ用など、種々の大きさが用意されている。
【０００３】
しかし、市販のクリアーホルダーはサイズが固定的であった。例えば、Ａ４サイズ用のクリアーホルダーを買うと、Ａ４サイズの書類が入る他、それよりも小さい例えばＢ５サイズの書類も入るが、Ｂ５サイズの書類だけを入れたい場合は無駄に大きいのであり、例えばＢ５サイズの鞄に入れるには折り曲げる必要があった。よって、かかる場合は、例えばＡ４用とＢ５用の両方をそれぞれ購入していた。その際、クリアーホルダーは１００枚単位などのパックで販売されている場合も多く、必要以上の出費を伴う場合があった。なお、出願人は、この背景技術に関する公知文献を知らない。
【考案の開示】
【考案が解決しようとする課題】
【０００４】
本考案は、かかる従来例の有する不都合を改善し、特に、１枚で２以上の形態に使うことができるクリアーホルダーを提供することを課題とする。
【課題を解決するための手段】
【０００５】
上記課題を解決するため、本考案では、シート間に格納領域を備えたクリアーホルダーにおいて、シートに、当該シートの一部をシート本体から切り取り去るための切取り線を、周囲よりも切れ易い切取り線として予め形成した、という構成を採っている。
【０００６】
ここで、「クリアーホルダー」には、一般にクリアーホルダーとして認識される製品が含まれ、例えば、シートに印刷が施されることによって中身が見えないものも含まれる。
【０００７】
切取り線は、クリアーホルダーの外形が第１の定型サイズ（例えばＡ４サイズ）に適合している場合、当該第１の定型サイズよりも小さい第２の定型サイズ（例えばＢ５サイズ）に適合させることが考えられる。また、切取り線は、複数形成してもよい。
【考案の効果】
【０００８】
本考案によれば、シートに形成された切取り線からシートの一部を切り取り去ることによって、１枚で２以上の形態に使うことのできる従来にない優れたクリアーホルダーを提供することができる。
【考案を実施するための最良の形態】
【０００９】
以下、本考案の一実施形態を図面に基づいて説明する。
【００１０】
図１に示すクリアーホルダーは、シート１，２間に格納領域を備えたクリアーホルダーであって、シート１，２に、当該シート１，２の一部をシート本体から切り取り去るための切取り線３，４を、周囲よりも切れ易い切取り線として予め形成してある。
【００１１】
これを更に詳述すると、本実施形態において、クリアーホルダーのシート１，２はポリプロピレン等の従来と同様の素材で形成されている。本実施形態において、クリアーホルダーの外形サイズはＡ４サイズ用に設定してある（第１の定型サイズ）。
【００１２】
切取り線３，４は、ミシン目を施すことによって、周囲よりも切れ易い切取り線（ミシン線）になっている。図の便宜上荒い点線を描いているが、実際は眼視で筋に見える程の細かいミシン目を施している。これにより比較的なめらかな切り口となる。また、本実施形態では切取り線を２箇所設けてある。一方の切取り線３は、Ｂ５サイズ用に設定してあり（第２の定型サイズ）、他方の切取り線４は、Ａ５サイズ用に設定してある（第３の定型サイズ）。また、切取り線３，４は、一部で凹んでおり、この凹みに沿って切り抜くと、そこに書類の露出する部分が出来る。その凹みの部分では切取り線を二股に分け、一本は凹みに沿わせて湾曲させ、もう一本はホルダーの外形に沿って真っ直ぐ設けている。このため、先に真っ直ぐな方を切り取ってから、凹みの部分を切り取ることができ、切り取りやすい。また、凹みの部分を切り取るかどうかを必要に応じて選択することもできる。図１では分からないが、切取り線３，４は合わさった２枚のシート１，２の両方に対称に形成してある（図２の展開図参照）。
【００１３】
使用者は、格納したい書類のサイズに応じて切取り線をピリピリと切り取ることによって、シートの一部を切り取り去り、種々のサイズの書類に適合させることができる。最初はＡ４サイズで使って、その後Ｂ５サイズで使い、最終的にＡ５サイズで使うという使い回しも可能である。Ｂ５サイズの書類を入れるのに、無駄に大きいＡ４サイズのホルダーを使うことも避けることができる。
【００１４】
次に、図２に基づいて本実施形態であるクリアーホルダーの製造工程を説明する。図２はクリアーホルダーの展開図である。
【００１５】
クリアーホルダーの素材シートからクリアーホルダーの型（シート１，２を含む一枚シート）を打ち抜くとき、同時に切取り線３，４のミシン目も打ち抜いて形成する。次に、中央の折り線を折って、シートを合わせ、一辺にある圧着部６を圧着する。これにより、図１に示した製品の形態となり、従来一般的なクリアーホルダーの製造工程を増やすことなく、従来より優れたクリアーホルダーを製造することができる。
【００１６】
本考案は、以上説明した実施形態に限られるものではなく、切取り線を設ける数は１箇所でもよいし、３箇所以上でもよい。また、切取り線の位置は必ずしも用紙定型サイズに対応した位置に限られない。また、切取り線はミシン目に限らず、周囲よりも切れ易い切取り線になっていればよい。
【００１７】
また、切取り線で動物やキャラクター等の像の外形を縁取ってもよい。切取り線を切り取ることによって、動物やキャラクター等の形をしたクリアーホルダーを作成でき、楽しむことができる。
【図面の簡単な説明】
【００１８】
【図１】本考案であるクリアーホルダーの一実施形態を示す構成図である。
【図２】図１に示すクリアーホルダーの展開図である。
【符号の説明】
【００１９】
１，２  シート
３，４  切取り線
５  折り線
６  圧着部
【図１】
0003120133.tif 000003
【図２】
0003120133.tif 000004
(57)【要約】【課題】電池を充電できると共に、停電等によって外部電源からの給電が停止したときは照明装置として利用できる照明装置付き電池充電器を提供すること。【解決手段】ベース体１と、制御回路と、ベース体１の表面に設置された照明装置２とを備え、ベース体１に外部電源と接続可能な刃部１５を設け、ベース体１の表面に電池を収納可能な電池設置槽１１を形成すると共に、電池設置槽１１内に収納された電池に、刃部１５を介して外部電源から充電し、制御回路は、外部電源からの給電が停止された時、電池から照明装置２へ電力を供給して作動させる。【選択図】図１
0003120184.tif 000002
【実用新案登録請求の範囲】
【請求項１】
ベース体と、制御回路と、前記ベース体の表面に設置された照明装置とを備え、前記ベース体に外部電源と接続可能な刃部を設け、前記ベース体の表面に電池を収納可能な電池設置槽を形成すると共に、該電池設置槽内に収納された電池に、前記刃部を介して外部電源から充電し、前記制御回路は、前記外部電源からの給電が停止された時、前記電池から前記照明装置へ電力を供給して、該照明装置を作動させることを特徴とする照明装置付き電池充電器。
【請求項２】
前記制御回路は、前記ベース体の内部に設けられると共に、処理ユニット及び制御ユニットを有し、前記処理ユニットは、外部電源からの給電が停止すると前記制御ユニットへコマンドを送り、前記制御ユニットは、前記処理ユニットからのコマンドを受けて、前記電池から照明装置へ電力を供給する請求項１に記載の照明装置付き電池充電器。
【請求項３】
前記照明装置が、電球または発光ダイオードである請求項１に記載の照明装置付き電池充電器。
【考案の詳細な説明】
【技術分野】
【０００１】
本考案は、照明装置付き電池充電器に関する。
【背景技術】
【０００２】
現在、市販されている電池充電器は非常に多種類であるが、通常知られている電池充電器（特許文献１、特許文献２、特許文献３参照）は、単に電池への充電を行うだけであって、他の機能を有するものではなかった。
【０００３】
【特許文献１】台湾特許第１８３５４７号公報
【特許文献２】台湾特許第１２９８７２号公報
【特許文献３】台湾特許第１９８３２０号公報
【考案の開示】
【考案が解決しようとする課題】
【０００４】
本考案が解決しようとする課題は、電池を充電できると共に、停電等によって外部電源からの給電が停止した時は照明装置として利用できる照明装置付き電池充電器を提供することにある。
【課題を解決するための手段】
【０００５】
本考案の照明装置付き電池充電器は、ベース体と、制御回路と、前記ベース体の表面に設置された照明装置とを備え、前記ベース体に外部電源と接続可能な刃部を設け、前記ベース体の表面に電池を収納可能な電池設置槽を形成すると共に、該電池設置槽内に収納された電池に、前記刃部を介して外部電源から充電し、前記制御回路は、前記外部電源からの給電が停止された時、前記電池から前記照明装置へ電力を供給して、該照明装置を作動させる。
【０００６】
前記制御回路は、前記ベース体の内部に設けられると共に、処理ユニット及び制御ユニットを有し、前記処理ユニットは、外部電源からの給電が停止すると前記制御ユニットへコマンドを送り、前記制御ユニットは、前記処理ユニットからのコマンドを受けて、前記電池から照明装置へ電力を供給することがある。
前記照明装置は、電球または発光ダイオードとしても良い。
【考案の効果】
【０００７】
本考案によれば、電池への充電を行うだけでなく、停電等で外部電源からの給電が停止した時には、これを感知して自動的に照明装置を点灯させ、照明機能を発揮することができる。
【考案を実施するための最良の形態】
【０００８】
本考案の照明装置付き電池充電器は、図１及び図２に示すように、ベース体１と、照明装置２と、制御回路３とを備える。
ベース体１の表面には電池設置槽１１が形成され、ベース体１の背面には外部電源に接続可能な一対の刃部１５が設けられる。
電池設置槽１１の内周の一側には正導電片１２が設けられると共に、他側にはこれに対応した負導電片１３が設けられる。
なお、電池設置槽１１は、複数の電池を収納可能なスペースを有し、複数の正導電片１２及び負導電片１３を設けるのが望ましい。
また、ベース体１の外面の適宜個所には指示ランプ１４が設置されている。
照明装置２は、電球、発光ダイオード等からなり、ベース体１の表面に設置される。
【０００９】
制御回路３は、ベース体１の内部に設けられ、図２に示すように、処理ユニット３１及び制御ユニット３２を備える。
処理ユニット３１は、受信したデータを判読して予め設定されている導通条件と比較する演算デバイスを有する。そして、処理ユニット３１は、外部電源からの給電が停止されると、導通条件が満たされて、制御ユニット３２へコマンドを送り、これを起動するようになっている。
【００１０】
制御ユニット３２は、常態では接点が開き、処理ユニット３１からのコマンドを受けると接点が閉じる継電器を有する。
また、制御ユニット３２の一端は、電池設置槽１１内に収納された電池Ａに接続され、制御ユニット３２の他端は照明装置２に接続されている。
即ち、外部電源からの給電が停止して、処理ユニット３１に予め設定されている導通条件が成立すると、処理ユニット３１からのコマンドにより制御ユニット３２の継電器が閉じて、電池Ａから制御ユニット３２を経て照明装置２へ電力が供給される。
【００１１】
この照明装置付き電池充電器は次のように使用する。
ベース体１から延びる刃部１５を室内コンセント等の外部電源に接続し、電池設置槽１１内に電池Ａを収納し、電池Ａの正極Ａ１を電池設置槽１１の正導電片１２に接続すると共に、負極Ａ２を負導電片１３に接続する。
すると、刃部１５を通して流れる交流電流が直流電流に変換されて正導電片１２及び負導電片１３へ通電され、電池Ａが充電される。
指示ランプ１４は、電池Ａに充電している時、或いは、飽和状態にある時に点灯し、充電状況を明らかにする。
【００１２】
停電等により外部電源からの給電が停止すると、制御ユニット３２が起動して継電器の接点が閉じ、電池設置槽1１に設置された電池Ａから照明装置２へ電力が供給され、照明装置２が点灯する。即ち、この電池充電器は、停電等の際に非常灯として機能する。
なお、刃部１５をベース体１に直接装着せず、ベース体１から延びるコードの先端に設置した差込プラグに設けることもできる。
【図面の簡単な説明】
【００１３】
【図１】本考案の実施例を示す照明装置付き電池充電器の斜視図。
【図２】各部の関係を示すブロック図。
【図３】電池充電時における照明装置付き電池充電器の正面図。
【図４】照明装置作動時における照明装置付き電池充電器の正面図。
【符号の説明】
【００１４】
１  ベース体
１１  電池設置槽
１２  正導電片
１３  負導電片
１４  指示ランプ
１５  刃部
２  照明装置
３  制御回路
３１  処理ユニット
３２  制御ユニット
Ａ  電池
Ａ１  正極
Ａ２  負極
【図１】
0003120184.tif 000003
【図２】
0003120184.tif 000004
【図３】
0003120184.tif 000005
【図４】
0003120184.tif 000006
(57)【要約】【課題】立設時に軸線周りに回転することを防止できるとともに、構造が簡単で立設の作業性を損なうことのない電気柵用支柱を提供すること。【解決手段】先端側が地中に埋設される電気柵用支柱４０において、地中に埋設される支柱本体４１の先端側に、支柱本体４１の長手方向に沿って形成した突条４４を、支柱本体４１の周方向に間隔をおいて平行に複数条設けた。【選択図】図１
0003120104.tif 000002
【実用新案登録請求の範囲】
【請求項１】
先端側が地中に埋設される電気柵用支柱において、地中に埋設される支柱本体の先端側に、支柱本体の長手方向に沿って形成した突条を、支柱本体の周方向に間隔をおいて平行に複数条設けたことを特徴とする電気柵用支柱。
【請求項２】
それぞれの突条の先端部を先細り状に形成した請求項１に記載の電気柵用支柱。
【考案の詳細な説明】
【技術分野】
【０００１】
本考案は、猪やその他の野獣が田畑や果樹園等に侵入して、作物に被害（食害）をもたらすことを防止する電気柵用の支柱に関する。
【背景技術】
【０００２】
従来から、猪やその他の野獣が田畑へ侵入するのを防止するために、電気柵が使用されている。電気柵によれば、多額の費用を要しないで、猪やその他の野獣の田畑や果樹園等への侵入を防止できる。
【０００３】
電気柵の代表的な構成例を図２に示す。電気柵は電気柵本体１、裸電線２、碍子３、及び支柱４によって構成されている。そして、その組み立てに際しては、田畑の周囲に電気柵用支柱４を一定間隔で立設し、これに碍子３を取り付け、この碍子３に裸電線２を係止させることによって、裸電線２を田畑の周囲に張り巡らせる。
【０００４】
従来一般的に、電気柵用の支柱４としては単なる丸棒状のものが使用されている。しかし、このような丸棒状の支柱４では、例えば軟質な地質や砂利等の多い地質のところに立設すると、支柱４がその軸線周りに回転してしまい、支柱４に取り付けられている碍子３も同様に回転してしまう。そうすると、碍子３に裸電線２を確実に係止させることができず、裸電線２にたるみが生じる。あるいは、裸電線２が碍子３から外れてしまう原因になる。さらに、支柱４の地面に対する固定が緩くなり、支柱４が倒れやすくなる等、立設に不具合が生じる。
【０００５】
これに対して、特許文献１には、地中埋込部に回り止めを設けた電気柵用の支柱が開示されている。しかし、特許文献１に開示されている回り止めは、逆Ｌ字状、逆三角形状、螺旋状等の複雑で大きな構造となっており、製造コストが高くなる。また、現実的には人手では立設できないものや、人手で立設できたとしても相当の要領が必要となるものが多く見られる。
【特許文献１】実開昭６０−８９３６８号公報
【考案の開示】
【考案が解決しようとする課題】
【０００６】
本考案が解決しようとする課題は、立設時に軸線周りに回転することを防止できるとともに、構造が簡単で立設の作業性を損なうことのない電気柵用支柱を提供することにある。
【課題を解決するための手段】
【０００７】
上記課題を解決するため、本考案は、先端側が地中に埋設される電気柵用支柱において、地中に埋設される支柱本体の先端側に、支柱本体の長手方向に沿って形成した突条を、支柱本体の周方向に間隔をおいて平行に複数条設けたことを特徴とするものである。
【０００８】
本考案において、それぞれの突条の先端部は先細り状に形成することが、立設の作業性を向上させる上で好ましい。また、それぞれの突条の長さは２５０〜５００ｍｍ程度、高さは１〜３ｍｍ程度とすることが好ましい。
【考案の効果】
【０００９】
本考案によれば、支柱本体の周囲に突条を設けたので、この突条の地中に対する摩擦により、支柱の軸線周りの回転及び支柱の傾きが防止され、裸電線が碍子から外れる等の不具合が起こりにくくなる。
【００１０】
突条は、支柱本体の長手方向に沿って形成されており、それぞれの突条は平行に設けられているので、立設の作業性が損なわれることもない。
【００１１】
また、突条はその形状自体が単純であるので、一体成形等によって製作可能であり、製造コストを低減することができる。
【考案を実施するための最良の形態】
【００１２】
以下、図面に示す実施例に基づき本考案の実施の形態を説明する。
【００１３】
図１は、本考案に係る電気柵用支柱の一実施例を示し、（ａ）は斜視図、（ｂ）は（ａ）のＡ−Ａ断面図である。同図に示す電気柵用支柱４０は、長さが約１ｍ、直径が約２０ｍｍ程度のもので、支柱本体４１の先端には先細り状の先端キャップ４２、基端には基端キャップ４３が装着されている。そして、地中に埋設されることになる支柱本体４１の先端側周囲には、支柱本体４１の長手方向に沿って突条４４が４条設けられている。それぞれの突条４４は、支柱本体４１の周方向に等間隔をおいて平行に設けられている。また、それぞれの突条４４の先端部４４ａは先細り状に形成されている。実施例では、突条４４の長さを約３００ｍｍ、高さを約１．５ｍｍとした。
【００１４】
この電気柵用支柱４０は、従来の支柱を同様に立設して使用される。そして、立設されると、支柱本体４１の周囲に設けた突条４４の地中に対する摩擦により、支柱の軸線周りの回転及び支柱の傾きが防止され、裸電線が碍子から外れる等の不具合が起こりにくくなる。
【００１５】
また、突条４４は、支柱本体４１の長手方向に沿って形成されており、それぞれの突条４４は平行に設けられているので、立設の作業性が損なわれることもない。加えて、実施例のように、突条４４の先端部４４ａを先細り状に形成すると、埋め込みの作業性が向上する。
【図面の簡単な説明】
【００１６】
【図１】本考案に係る電気柵用支柱の一実施例を示し、（ａ）は斜視図、（ｂ）は（ａ）のＡ−Ａ断面図である。
【図２】電気柵の代表的な構成例を示す。
【符号の説明】
【００１７】
１  電気柵本体
２  裸電線
３  碍子
４  支柱
４０  電気柵用支柱
４１  支柱本体
４２  先端キャップ
４３  基端キャップ
４４  突条
４４ａ  突条の先端部
【図１】
0003120104.tif 000003
【図２】
0003120104.tif 000004
(57)【要約】【課題】  従来市販されている即席食品は単一食材がワンパックされており栄養面に偏る事があり、また、調理法には熱湯注入方式か電子レンジ過熱方式に違いがあり備品の有無により調理ができず食事が出来ない場合があった為これらを改善する。【解決手段】  本考案は３段または４段重ねの容器に異質の即席食材を入れることにより栄養面のバランスを重視して、調理法は耐熱性の高い材質を採用することにより熱湯注入法にも電子レンジ過熱法にも対応できるように改善が図られる。【選択図】図１
0003127101.tif 000002
【実用新案登録請求の範囲】
【請求項１】
即席やきそば麺等の容器を多段式に積み重ね、夫々の容器には即席で調理が出来る麺類、スープ、及びライス、おかず等を入れてワンパクックにて販売するシステムを特徴とした即席食品。
【請求項２】
多段式の即席食品入れ容器を電子レンジまたは熱湯注入調理にも対応出来ることを特徴とした即席食品。
【考案の詳細な説明】
【技術分野】
【０００１】  本考案は主な即席食品を多段式の容器に夫々入れてあり、夫々に熱湯注入するか又は水を注入後電子レンジに入れるかにより簡単に調理できるワンパックタイプの即席食品に関するものである。
【背景技術】
【０００２】  各種市販されている即席食品は単一食材ばかりで継続的に食すると栄養面に偏り健康障害が懸念されていた、また従来の関連技術を調査してもこれらを改善する為の文献等は見あたらなかった。
【考案の開示】
【考案が解決しようとする課題】
【０００３】  各種市販されている即席食品は栄養面の偏りによる健康障害と調理法が熱湯注入式と電子レンジ加熱式との使い分けがあり備品不足により食事不可の事態が発生していたがこれらの問題を解決しようとするものである。
【問題を解決する手段】
【０００４】  本考案は、三段または四段に重ねた容器に異質の即席食品をいれてあり、例えばやきそば麺、ご飯、スープ類、佃煮類、等栄養面にもバランスよく、量的にも配慮した内容をいれて継続的に食しても安心，安全を重視したもので、尚調理方式は熱湯注入式、および電子レンジ加熱にも対応できる容器を使用することで問題を解決している。
【考案の効果】
【０００５】  上述のように、本考案のワンパツクタイプ即席食品は栄養面、調理面共に効率良く独身者はもとより高齢者および介護施設等に於いても短時間に簡単に食事を提供できるシステムである。
【考案を実施するための最良の形態】
【０００６】  本考案は、従来から市販されている即席食品を流用することと耐熱性に優れた容器を適量分収納できる大きさと、形状を多段に重ねられる形状に変更することで安価で，迅速に採用できる。
【実施例】
【０００７】  以下、添付図面に従い実施例を説明する。「図１」は容器を４段に積み重ねた、ワンパック状態の即席食品の例で１は蓋をを示す、８は乾燥やきそばで７はやきそば用の具材、およびソース類の調味料で必要におおじてとりだし出来る、２はやきそば用の容器で材質は電子レンジの加熱にも対応できるよう耐熱性のあること。【０００８】  同様に、９は真空状態にあるご飯を示し、３は真空用のシールで４の容器に保持されてている、ただし食する時点にて、例えば電子レンジにて調理する場合は３のシールを剥がして加熱し、熱湯にて調理する場合はそのまま熱湯中に数分入れておけばよい。【０００９】  同じく、１０は粉末スープを示す、５はその容器である、食し方は例えば電子レンジにて加熱調理する場合は水を適量いれてそのままレンジに数分間入れれば良し、熱湯調理の場合は粉末スープの上から適量の熱湯を注げば良し。【００１０】  同じく、１１はお好みで例えば長期保存のきく梅干し、または佃煮等示し、６はその容器を示す、食材は季節により適宜変更することによりお客に喜ばれるため仕向け地の状況等によりいろいろな変更に対応出来るようにした。
【図面の簡単な説明】
【００１１】
【図１】本考案の実施例を示す正面断面図。
【図２】やきそば乾燥麺の容器に熱湯または水を注ぐ状態の断面図。
【図３】ご飯を真空容器に入れた状態の断面図。
【図４】粉末スープ容器に熱湯または水を注ぐ状態の断面図。
【図５】Ａ矢視断面図を示す。
【図６】おかず容器の断面図。
【符号の説明】
【００１２】  １蓋
２やきそば乾燥麺容器
３ご飯用容器の真空シール
４ご飯用容器
５粉末スープ用容器
６おかず用容器
７やきそば用調味料
８やきそば乾燥麺
９ご飯
１０粉末スープ
１１おかず
【図１】
0003127101.tif 000003
【図２】
0003127101.tif 000004
【図３】
0003127101.tif 000005
【図４】
0003127101.tif 000006
【図５】
0003127101.tif 000007
【図６】
0003127101.tif 000008
【手続補正書】
【提出日】平成18年8月31日(2006.8.31)
【手続補正１】
【補正対象書類名】実用新案登録請求の範囲
【補正対象項目名】全文
【補正方法】変更
【補正の内容】
【実用新案登録請求の範囲】
【請求項１】
容器の下部に段差をつけた同形状の容器を多段に積み重ね、夫々の容器には即席で調理が出来るやきそば麺類、スープ、ライス、及びおかずを入れてあり、必要に応じて夫々の容器を電子レンジまたは熱湯を注入して調理が出来る事を特徴とした即席食品。
(57)【要約】      （修正有）【課題】これまでのシートはある程度大きく、保温をしなければ其の効果が現れにくかった。【解決手段】ブラックシリカの砂粒状粉末を樹脂でシート状にする事で表面積が増え、砂の一粒毎が蓄熱するので小さくても効果が上がる。ブラックシリカの小石を直接張ったり混ぜこんだりする事で更に蓄熱、放射の効果が向上するコンクリ−ト板を蓄熱層とする事で遠赤外線効果を少ないシリカ量でも長時間効果的に引き出すことができる。【選択図】図１
0003127102.tif 000002
【実用新案登録請求の範囲】
【考案の詳細な説明】
【技術分野】
【０００１】本考案はブラックシリカの砂粒状粉末を樹脂等でシート状にしたブラックシリカ砂粒シート
【背景技術】
【０００２】パウダ−状の粉末と違い砂粒状の粉末を使うことで表面積が増え、砂粒の１粒つづが蓄熱し、効率よく遠赤外線を放射し体を温める
【考案の開示】
【考案が解決しようとする課題】
【０００３】これまでのシ−トは効果を引き出すのに、ある程度の面積が必要であった
【課題を解決するための手段】
【０００４】ブラックシリカの砂粒状粉末を樹脂でシート状にする事
【考案の効果】
【０００５】ブラックシリカの砂粒状粉末をシート状にすることで表面積が増え、暖められた砂粒の１粒つづが蓄熱し、効率よく遠赤外線を放射するので小さくても良い、
【考案を実施するための最良の形態】
【０００６】１）樹脂で砂粒状のブラックシリカをシ−ト状にした物の裏に断熱材としてやアルミ箔やアルミ箔と発砲スチロ−ルとの積層体等を張り熱を逃がさないようにしたブラックシリカ砂粒シート
２）このシ−トにブラックシリカの小石を直接張ったり混合したブラックシリカ砂粒シート
３）このシ−トをコンクリ−ト等の蓄熱層の上に張った積層体
【産業上の利用可能性】
【０００７】１）アルミ箔等の断熱材を張ることで体温を逃がさず。電気毛布を使わなくても自分の体温が遠赤外線となって体を温める、又その放射される遠赤外線は生育光線といわれる波長で、健康維持に非常に効果があるので小さく切ってツボに張っても良い
２）ブラックシリカの小石を直接張ったり混合する事で蓄熱体積を増やし、効果を更に上げ、これをサウナ室等に張ることで短時間で発汗を促す、又コンクリ−ト等を蓄熱層として其の上に張り、直接其の上に寝て発汗をする
【図面の簡単な説明】
【０００８】
【図１】請求項１の正面図と側面図である
【図２】請求項２の正面図と側面図である
【図３】請求項３の正面図と側面図である
【図４】請求項４の正面図と側面図である
【符号の説明】
【０００９】１  砂粒の一部拡大
２  アルミ箔等の断熱材
３  ブラックシリカの小石
４  コンクリ−ト等の蓄熱層
【図１】
0003127102.tif 000003
【図２】
0003127102.tif 000004
【図３】
0003127102.tif 000005
【図４】
0003127102.tif 000006
【手続補正書】
【提出日】平成18年8月21日(2006.8.21)
【手続補正１】
【補正対象書類名】実用新案登録請求の範囲
【補正対象項目名】全文
【補正方法】変更
【補正の内容】
【実用新案登録請求の範囲】
【請求項１】
ブラックシリカの砂粒状粉末を樹脂でシ−ト状にしたブラックシリカ砂粒シ−ト
【請求項２】
請求項１記載のシートにアルミ等の断熱材を張ったブラックシリカ砂粒シ−ト
【請求項３】
請求項１記載のシートにブラックシリカの石を混合したり、直接ブラックシリカの石を張ったりしたブラックシリカ砂粒シ−ト
【請求項４】
請求項１記載のシートをコンクリ−ト、石等の蓄熱層に張った積層体
(57)【要約】      （修正有）【課題】  マジックコロナはブライダルやイベント時においてカラーの炎を発生させることで、ブライダルやイベントを華やかに演出しているが、炎の輝きが通常の炎に比べて弱く、カラーの炎が灯っているだけでは暗い印象があるオイルランプの提供。【解決手段】ガラス製オイルランプを乗せる為の皿状の台座があって、台座の内部には板ゴムが敷き詰められており、且つ台座の下部より前記台座と板ゴムを貫通してＬＥＤの頂部が突出するように取り付けることでマジックコロナ入りガラス製オイルランプを台座の上部に置き、ＬＥＤを用いて照らす。【選択図】図２
0003127103.tif 000002
【実用新案登録請求の範囲】
【請求項１】
ガラス製オイルランプを乗せる為の皿状の台座があって、前記台座の内部には板ゴムが敷き詰められており、且つ前記台座の下部より前記台座と前記板ゴムを貫通してＬＥＤの頂部が突出するように取り付け、点灯することが出来ることを特徴とするオイルランプ用台座。
【考案の詳細な説明】
【技術分野】
【０００１】  本考案は、キャンドル台座をオイルランプ用に改良し、その台座にＬＥＤを埋めこんだオイルランプ台座に関するものである。
【背景技術】
【０００２】  カラーの炎を発生させる液体（以下マジックコロナという）を用いたランプは、そのカラーの炎を楽しむものであった。
【考案の開示】
【考案が解決しようとす課題】
【０００３】  マジックコロナはブライダルやイベント時においてカラーの炎を発生させることで、ブライダルやイベントを華やかに演出しているが、炎の輝きが通常の炎に比べて弱く、カラーの炎が灯っているだけでは暗い印象があるオイルランプである。
【課題を解決するための手段】
【０００４】  ガラス製オイルランプ（図３参照）を乗せる為の皿状の台座があって、前記台座の内部には板ゴムが敷き詰められており、且つ前記台座の下部より前記台座と前記板ゴムを貫通してＬＥＤの頂部が突出するように取り付けることでマジックコロナ入りガラス製オイルランプを前記台座の上部に置き、前記ＬＥＤを用いて照らす。
【考案の効果】
【０００５】  上述の様に、本考案のオイルランプ用台座は、マジックコロナを入れたガラス製オイルランプを台座上部から突出したＬＥＤにより照らすことによって、集束したＬＥＤの光をマジックコロナとガラスによって乱反射させることで、暗闇の中でオイルランプ全体が輝いて見える。そうすることによって、上述の輝きの弱い炎を引き立たせて見せることが可能で、より一層輝いて見える効果をもたらす。
【考案の実施するための最良の形態】
【０００６】  ブライダル・イベント業界において用いられる。ブライダルにおいてメインキャンドル機材として扱うことが多く、メインキャンドルの周りに上述の台座を使用し、上述台座の上部にマジックコロナを入れたガラス製オイルランプを置いて配置する。ＬＥＤは電源からフットスイッチ（押してオン、オフするスイッチ）、ＡＣアダプタを経由してオン、オフを可能にしている。
【実施例】
【０００７】  以下、添付図面に従って一実施例を説明する。１辺５ｃｍ程度の四角形の鉄製の台座（１）であり、その端は５ｍｍ程曲げ、中には厚さ１．５ｍｍから２．５ｍｍの板ゴム（２）を敷き詰めている。前記台座の下部から５ｍｍ程の穴を開け、板ゴムには４．２ｍｍの穴を開ける。そこに直径４．８ｍｍ程度のＬＥＤ（３）を下から挿入し板ゴムを通して上部に突出させる。前期台座、板ゴムの上部に一辺約４ｃｍの立方体のガラス製オイルランプ（４）にマジックコロナを入れ、前期ＬＥＤを上述の通りＡＣアダプタ（５）からフットスイッチ（６）を通して電源に接続し、フットスイッチをオンオフして使用する。
【図面の簡単な説明】
【０００８】
【図１】  本考案のオイルランプ用台座の側面図。
【図２】  本考案を斜め４５度から分かり易く書いたもの。
【図３】  本考案の使用例
【符号の説明】
【０００９】（１）オイルランプ皿
（２）板ゴム
（３）ＬＥＤ
（４）ガラス製オイルランプ
（５）ＡＣアダプタ
（６）フットスイッチ
【図１】
0003127103.tif 000003
【図２】
0003127103.tif 000004
【図３】
0003127103.tif 000005